(57)【要約】【課題】ｅラーニングの対象となる製品の実物をユーザの近くに置きながらｅラーニングを行うことをユーザに強制することにより学習効率を向上させる。【解決手段】ｅラーニング装置は、ユーザが携帯する携帯機器の表示画面（１２）にｅラーニングの対象となる製品のサンプル画像を表示して、携帯機器が備えるカメラ（１３）を用いて製品のサンプル画像と同じ製品の実物の画像データを取得することをユーザに対して指示し、カメラを用いて取得された画像データが、製品のサンプル画像と同じ製品の実物の画像データであることを認証する。そして、認証された場合に限り、携帯機器を用いてｅラーニングを続行する。【選択図】図１
2015064734.tif 000002
【特許請求の範囲】
【請求項１】
撮影手段及び表示画面を備える携帯機器を用いたｅラーニング装置であって、
ユーザが携帯する前記携帯機器の前記表示画面にｅラーニングの対象となる製品のサンプル画像を表示して、前記撮影手段を用いて前記製品のサンプル画像と同じ前記製品の実物の画像データを取得することをユーザに対して指示する実物画像取得指示部と、
前記撮影手段を用いて取得された画像データが、前記製品のサンプル画像と同じ前記製品の実物の画像データであることを認証する実物認証部と、
前記実物認証部によって認証された場合に限り、前記携帯機器を用いてｅラーニングを続行するｅラーニング制御部と、
を有することを特徴とするｅラーニング装置。
【請求項２】
前記表示画面に表示される前記サンプル画像は、前記製品の形状を描いた図又は絵であることを特徴とする請求項１に記載のｅラーニング装置。
【請求項３】
前記携帯機器は音声を録音する録音手段を更に備え、
ｅラーニングが終了した後に、ｅラーニングを受けた感想或いはコメントを前記録音手段を用いて録音することをユーザに対して指示する録音指示部を更に備える
ことを特徴とする請求項１又は２に記載のｅラーニング装置。
【請求項４】
ｅラーニングを行っている途中或いはｅラーニングが修了した後に、前記撮影手段を用いて、ユーザの顔の画像データを取得することをユーザに対して指示するユーザ画像取得指示部と、
前記撮影手段を用いて取得された、ユーザの顔の画像データを記憶するユーザ画像記憶部と、
を更に備えることを特徴とする請求項１〜３のいずれか一項に記載のｅラーニング装置。
【請求項５】
ｅラーニングが修了したことを認定する証書であって、前記ユーザ画像記憶部に記憶されたユーザの顔の画像が添付された前記証書を作成する認定証作成部を更に備えることを特徴とする請求項４に記載のｅラーニング装置。
【請求項６】
前記認定証作成部は、前記実物認証部によって認証された前記製品の実物の画像データを、前記証書に更に添付することを特徴とする請求項５に記載のｅラーニング装置。
【請求項７】
撮影手段及び表示画面を備える携帯機器を用いたｅラーニング方法であって、
ユーザが携帯する前記携帯機器の前記表示画面にｅラーニングの対象となる製品のサンプル画像を表示して、前記撮影手段を用いて前記製品のサンプル画像と同じ前記製品の実物の画像データを取得することをユーザに対して指示し、
前記撮影手段を用いて取得された画像データが、前記製品のサンプル画像と同じ前記製品の実物の画像データであることを認証し、
認証された場合に限り、前記携帯機器を用いてｅラーニングを続行する
ことを特徴とするｅラーニング方法。
【発明の詳細な説明】
【技術分野】
【０００１】
本発明は、ｅラーニング装置及びｅラーニング方法に関するものである。
【背景技術】
【０００２】
従来から、携帯電話などの移動端末を用いたｅラーニングに関する技術が提案されている（特許文献１参照）。特許文献１に開示された通信学習システムでは、携帯電話の通信機能を用いて学習コンテンツをダウンロードして、ユーザは携帯電話を用いて自己学習を実行する。
【先行技術文献】
【特許文献】
【０００３】
【特許文献１】特開２００４−６１７１４号公報
【発明の概要】
【発明が解決しようとする課題】
【０００４】
ｅラーニングシステムに携帯電話のような移動端末を用いることで、ユーザは場所を選ばずにどこにいてもｅラーニングを行うことができる。このため、ｅラーニングの対象となる製品の実物を見たり、或いは手で触りながら、ｅラーニングを行う場合に比べて、ｅラーニングによる学習効率は低くなってしまう。
【０００５】
本発明は上記課題に鑑みて成されたものであり、その目的は、ｅラーニングの対象となる製品の実物をユーザの近くに置きながらｅラーニングを行うことをユーザに強制することにより学習効率が向上するｅラーニング装置及びｅラーニング方法を提供することである。
【課題を解決するための手段】
【０００６】
本発明の一態様に係わるｅラーニング装置は、ユーザが携帯する携帯機器の表示画面にｅラーニングの対象となる製品のサンプル画像を表示して、携帯機器が備える撮影手段を用いて製品のサンプル画像と同じ製品の実物の画像データを取得することをユーザに対して指示し、撮影手段を用いて取得された画像データが、製品のサンプル画像と同じ製品の実物の画像データであることを認証する。そして、認証された場合に限り、携帯機器を用いてｅラーニングを続行する。
【発明の効果】
【０００７】
本発明のｅラーニング装置及びｅラーニング方法によれば、ｅラーニングの対象となる製品の実物の画像を取得できる距離までユーザを接近させることができる。よって、ｅラーニングの対象となる製品の実物をユーザの近くに置きながらｅラーニングを行うことをユーザに強制することにより学習効率を向上させることができる。
【図面の簡単な説明】
【０００８】
【図１】図１は、本発明の第１実施形態に係わるｅラーニング装置（携帯機器）の全体構成を示すブロック図である。
【図２】図２は、タッチパネル１２に表示された、サンプル画像ＤＡ１と、画像データの取得を指示する文章の一例を示す模式図である。
【図３】図３は、タッチパネル１２に表示された、サンプル画像ＤＡ２と、画像データの取得を指示する文章の他の例を示す模式図である。
【図４】図４は、タッチパネル１２に表示された、ユーザの顔の画像データの取得を指示する文章の一例を示す模式図である。
【図５】図５は、タッチパネル１２に表示された、感想或いはコメントの録音を指示する文章の一例を示す模式図である。
【図６】図６は、認定証作成部２１により作成された認定証の一例を示す模式図である。
【図７】図７は、第１実施形態に係わるｅラーニング方法の一例として、図１のｅラーニング装置によるｅラーニングの実施手順の一部を示すフローチャートである。
【図８】図８は、図７に続く、図１のｅラーニング装置によるｅラーニングの実施手順の残り部分を示すフローチャートである。
【図９】図９は、本発明の第２実施形態に係わるｅラーニング装置（サーバ及び携帯機器）の全体構成を示すブロック図である。
【発明を実施するための形態】
【０００９】
図面を参照して、本発明の実施形態を説明する。図面の記載において同一部分には同一符号を付し説明を省略する。
【００１０】
（第１実施形態）
本発明の実施形態では、撮影手段及び表示画面を備える携帯機器を用いたｅラーニング装置について説明する。ｅラーニング装置は、静止画や動画の映像、音声、文章などを組み合わせた教材又は学習材（以後、「コンテンツ」という）を用いて、学習者（ユーザ）に学習を実行させ、ユーザの学習履歴、及び学習効果（試験問題の結果）を管理する。
【００１１】
第１実施形態では、一例として、携帯機器が単独でｅラーニング装置を構成する場合について説明する。第１実施形態の携帯機器として、携帯電話、ＰＨＳ、スマートフォンを含む携帯通信端末、カメラ（デジタルカメラ、ビデオカメラ）、携帯音楽プレーヤ、ＩＣレコーダ、ポータブルＤＶＤプレーヤを含むＡＶ機器、そして、携帯ゲーム機、ノートパソコン、タブレットＰＣ、ＰＤＡ（Personal Digital Assistant）を含むコンピュータを用いることができる。
【００１２】
図１を参照して、第１実施形態に係わるｅラーニング装置（携帯機器）の全体構成を説明する。携帯機器は、入力装置及び表示装置としての機能を備えるタッチパネル１２と、撮像素子及びレンズを備える撮影手段としてのカメラ１３と、ユーザが発する音声を電気信号を変換するマイク１４と、コンテンツデータ２２及びカメラ１３により撮影された画像データ（２３、２４）を記憶するデータ記憶部１５と、携帯機器の動作を制御する制御部としてのＣＰＵ１１とを備える。マイク１４によって変換されたユーザが発する音声の電気信号は、音声データとして、データ記憶部１５に記憶される。よって、マイク１４及びデータ記憶部１５は、音声を録音する録音手段の一例を構成する。
【００１３】
ＣＰＵ１１の機能的構成を説明する。ＣＰＵ１１は、携帯機器を第１実施形態に係わるｅラーニング装置として動作させるための手順を記載したコンピュータプログラムに従って情報処理を実行する。ＣＰＵ１１により実行される具体的な情報処理機能について説明する。ＣＰＵ１１は、実物画像取得指示部１６、実物認証部１７、ｅラーニング制御部１８、録音指示部１９、ユーザ画像取得指示部２０、及び認定証作成部２１として機能する。
【００１４】
実物画像取得指示部１６は、ユーザが携帯する携帯機器のタッチパネル１２にｅラーニングの対象となる製品のサンプル画像を表示して、カメラ１３を用いて製品のサンプル画像と同じ製品の実物の画像データを取得することをユーザに対して指示する。具体的には、タッチパネル１２にサンプル画像及び画像データの取得を指示する文章を表示する。ユーザがこの指示に従うことにより、携帯機器をユーザに携帯させ、且つ製品の実物の画像を取得できる距離までユーザを接近させることができる。
【００１５】
図２は、タッチパネル１２に表示された、サンプル画像ＤＡ１と、画像データの取得を指示する文章の一例を示す模式図である。ｅラーニングの対象となる製品が車両であり、ｅラーニングは、車種Ａの新型車の研修を目的としている場合を示す。図２では、研修を開始するにあたり、研修対象となる車種Ａの新型車の全体画像の撮影を指示している。また、サンプル画像ＤＡ１と同じ撮影角度で撮影することを指定している。撮影角度を指定することにより、車種Ａの新型車のカタログなどに形成された写真の流用などを抑制できる。
【００１６】
タッチパネル１２に表示されるサンプル画像ＤＡ１は、製品を実写した画像でもよいが、製品の形状を描いた図又は絵であってもよい。前者の場合、タッチパネル１２に表示されたサンプル画像ＤＡ１がユーザによる撮影の対象となるおそれがあるが、後者の場合、それが無いため、製品の実物の撮影をユーザに強制することができる。
【００１７】
図３に示す他の例では、図２の研修を構成する特定の章の開始にあたり、その章で研修の対象となる部品（ステアリングスイッチ）の画像を撮影することを指示している。タッチパネル１２には、サンプル画像ＤＡ２としてステアリングスイッチ、及び画像データＤＡ２の取得を指示する文章の一例が表示される。
【００１８】
実物認証部１７は、カメラ１３を用いて取得された画像データが、製品のサンプル画像（ＤＡ１、ＤＡ２）と同じ製品の実物の画像データであることを認証する。製品のサンプル画像データ（ＤＡ１、ＤＡ２）は、コンテンツデータ２２の一部として予めデータ記憶部１５に格納されている。カメラ１３により撮影された画像データは、実物画像データ２３としてデータ記憶部１５に格納される。実物認証部１７は、これらの画像データ（ＤＡ１、ＤＡ２、２３）に基づいて、既知の画像処理技術を用いて実物認証処理を行えばよい。
【００１９】
ｅラーニング制御部１８は、実物認証部１７によって認証された場合に限り、携帯機器を用いてｅラーニングを続行する。具体的には、携帯機器は、ｅラーニングを開始する前において、或いは実行中のｅラーニングを中断して、実物画像取得指示部１６による指示をユーザに対して行う。そして、実物認証部１７による認証が成功することを条件として、ｅラーニングを開始する、或いは、中断したｅラーニングの続きを実行する。これにより、ｅラーニングを開始する前或いはｅラーニングの中断時において、携帯機器は、研修対象となる製品の実物の画像を取得できる距離までユーザが接近していることを確認することができる。
【００２０】
録音指示部１９は、ｅラーニングが終了した後に、ｅラーニングを受けた感想或いはコメントをマイク１４を用いて録音することをユーザに対して指示する。具体的には、図５に示すように、タッチパネル１２に感想或いはコメントの録音を指示する文章を表示する。ユーザがこの指示に従うことにより、録音された音声に基づいて、ｅラーニングを受講したユーザ本人を容易に認証することができる。なお、録音指示部１９は、音声の録音のみならず、同時にカメラ１３を用いてユーザの身体の一部（例えば、顔）の画像を連続して記録してもよい。これにより、感想或いはコメントを録音したユーザ本人を更に容易に認証することができる。
【００２１】
ユーザ画像取得指示部２０は、ｅラーニングを行っている途中或いはｅラーニングが終了した後に、カメラ１３を用いて、ユーザの顔の画像データを取得することをユーザに対して指示する。具体的には、実行中のｅラーニングを中断し、或いはｅラーニングが終了した後において、図４に示すように、タッチパネル１２に、ユーザの顔の画像データを取得する指示を表示する。そして、カメラ１３を用いてユーザの顔の画像データが取得されることを条件として、中断したｅラーニングの続きを実行する。これにより、ｅラーニングの中断時或いはｅラーニングの修了時において、携帯機器は、研修を受けている者がユーザ本人であるか否かを確認するための資料を残すことができる。なお、実物の画像データの場合とは異なり、ｅラーニングの続行の条件として、ユーザ本人の認証は行わなくても構わない。また、撮影されたユーザの顔の画像データは、ユーザ画像データ２４としてデータ記憶部１５に格納される。データ記憶部１５は、カメラ１３を用いて取得された、ユーザの顔の画像データを記憶する「ユーザ画像記憶部」の一例を構成する。
【００２２】
認定証作成部２１は、ｅラーニングが修了したことを認定する証書であって、データ記憶部１５に記憶されたユーザの顔の画像が添付された証書を作成する。例えば、図６に示すように、ｅラーニングの対象となる製品（車種Ａの新型車）の研修を修了したことを証する認定証を作成する。図６の認定証には、ユーザ画像取得指示部２０による指示に従って撮影されたユーザの顔の画像データＤＡ３及びユーザの氏名が明示されている。これにより、ユーザ本人を容易に認証することができる。
【００２３】
認定証作成部２１は、図６に示すように、実物認証部１７によって認証された製品の実物の画像データＤＡ４を、認定証に更に添付してもよい。画像データＤＡ４は、実物画像取得指示部１６による指示に基づいてユーザによって撮影された車種Ａの新型車の実物の画像データである。これにより、ユーザが受講した研修対象（車種Ａの新型車）を容易に特定することができる。
【００２４】
次に、図７及び図８を参照して、第１実施形態に係わるｅラーニング方法として、図１のｅラーニング装置によるｅラーニングの実施手順の一例を説明する。
【００２５】
ユーザが端末機器にインストールされているアプリケーションを起動することにより、ｅラーニングによる研修が開始される（ステップＳ０１）。ステップＳ０２に進み、実物画像取得指示部１６は、図２に示すように、タッチパネル１２に研修の対象となる製品のサンプル画像ＤＡ１を表示して、サンプル画像ＤＡ１と同じ製品の実物の画像データを取得することをユーザに対して指示する。
【００２６】
ユーザがステップＳ０２の指示に従って、サンプル画像ＤＡ１と同じ製品の実物の画像データを取得する（ステップＳ０３）。そして、ステップＳ０４に進み、実物認証部１７は、ステップＳ０３で取得された画像データが、サンプル画像ＤＡ１と同じ製品の実物の画像データであることを認証する。認証に成功した場合（Ｓ０４でＹＥＳ）、ステップＳ０５へ進み、認証に失敗した場合（Ｓ０４でＮＯ）、Ｓ０２に戻り、実物の画像データ取得を再度指示する。
【００２７】
ステップＳ０５に進み、ｅラーニング制御部１８は、コンテンツデータ２２を用いて、研修を開始する。本例では、コンテンツデータ２２は複数の章からなり、ステップＳ０５では、最初の章から研修を開始する。
【００２８】
ステップＳ０６に進み、最初の章の開始にあたり、実物画像取得指示部１６は、図３に示すように、タッチパネル１２に最初の章で対象となる部品（ステアリングスイッチ）のサンプル画像ＤＡ２を表示して、サンプル画像ＤＡ２と同じ製品の画像データを取得することを指示する。ユーザがステップＳ０６の指示に従って、サンプル画像ＤＡ２と同じ製品の実物の画像データを取得する（ステップＳ０７）。
【００２９】
ステップＳ０８に進み、実物認証部１７は、ステップＳ０７で取得された画像データが、サンプル画像ＤＡ２と同じ製品の実物の画像データであることを認証する。認証に成功した場合（Ｓ０８でＹＥＳ）、ステップＳ０９へ進み、認証に失敗した場合（Ｓ０８でＮＯ）、Ｓ０６に戻り、実物の画像データ取得を再度指示する。
【００３０】
ステップＳ０９に進み、ユーザ画像取得指示部２０は、研修を行っている途中で、図４に示すように、カメラ１３を用いて、ユーザの顔の画像データを取得することをユーザに対して指示する。ユーザがステップＳ０９の指示に従って、ユーザの顔の画像データを取得する（ステップＳ１０）。そして、ユーザの顔の画像データが取得されることを条件として、中断したｅラーニングによる研修の続きを実行する（ステップＳ１１）。なお、ｅラーニングによる研修の続行の条件として、ステップＳ０８の認証処理、或いはステップＳ０７の画像データの取得から所定の時間が経過する前にユーザの顔の画像データが取得されることを条件としても構わない。時間制限を設けることにより、実物の画像取得とユーザの画像取得の時間差を制限して、実物を見ながらユーザ本人が研修することを強制することができる。
【００３１】
ｅラーニング制御部１８は、ステップＳ１２において実行中の章が終了したか否かを判断する。終了していない場合（Ｓ１２でＮＯ）、次の頁に進み（Ｓ１３）、研修の続きを実行する（Ｓ１１）。一方、実行中の章が終了した場合（Ｓ１２でＹＥＳ）、ステップＳ１４に進み、ｅラーニング制御部１８は、終了した章の理解度を確認するためのテストを実施する。
【００３２】
ステップＳ１５に進み、ｅラーニング制御部１８は、コンテンツデータ２２に含まれる全ての章が実行されたか否かを判断する。未だ全ての章が実行されていない場合（Ｓ１５でＮＯ）、次の章に進み（Ｓ１６）、ステップＳ０６に戻る。そして、次の章に係わる実物の画像データの取得指示（Ｓ０６）、画像データの認証処理（Ｓ０８）、ユーザの顔の画像データの取得（Ｓ１０）を経て、ｅラーニングによる研修の続きを実行する（ステップＳ１１）。
【００３３】
一方、全ての章が実行された場合（Ｓ１５でＹＥＳ）、ステップＳ１７に進み、ｅラーニング制御部１８は各章のテストの得点を集計し、合格点に達しているか否かを判断する（Ｓ１８）。合格点に達していない場合（Ｓ１８でＮＯ）、ステップＳ０５に戻り、最初の章から研修をやり直す。一方、合格点に達している場合（Ｓ１８でＹＥＳ）、ステップＳ１９に進む。そして、録音指示部１９は、図５に示す画面を表示して、ｅラーニングを受けた感想或いはコメントをマイク１４を用いて録音し、且つユーザの身体の一部（例えば、顔）の画像を撮影することをユーザに対して指示する。
【００３４】
ユーザがステップＳ１９の指示に従って、感想或いはコメントをマイク１４を用いて録音し、且つ、ユーザの顔の画像を撮影する（ステップＳ２０）。そして、ステップＳ２１に進み、認定証作成部２１は、図６に示すように、ｅラーニングの対象となる製品（車種Ａの新型車）の研修を修了したことを証する認定証を作成する。認定証には、ステップＳ１０で取得されたユーザの顔の画像データＤＡ３、ステップＳ０４で認証された製品の実物の画像データＤＡ４が添付されている。この認定証をユーザが印刷することにより、図７及び図８に示す一連のｅラーニングの実施手順は終了する。
【００３５】
以上説明したように、第１実施形態によれば、以下の作用効果が得られる。
【００３６】
従来の携帯端末を用いたｅラーニングシステムは、携帯端末さえあれば、時間と場所を選ばずにどこでもｅラーニングを実施できるという利点を活用したものである。よって、学習する場所にはｅラーニングの学習対象となる実物は存在しないことが通常である。しかしながら、実物を実際に見ることなく、或いは手に取ることなく、ｅラーニングの中で再生される写真や映像を見るだけでは、学習効果が十分ではないという問題点があった。ｅラーニングの後で実際に実物を目の前にしたときに、ｅラーニンで学習したものと実物とが違うもののように感じられてしまうということが起こりやすい。また、頭の中で理解した内容が自分の手足の動き、操作や取り扱いに連動しずらいということが起こりがちである。このような場合においては、当初予定したｅラーニングによる学習効果を実現することは難しい。学習対象となる実物を見ながらｅラーニングを実行すること、あるいはｅラーニング実行後すみやかに実物を確認することをユーザに要求しても、その要求に強制力が無ければ、その要求が満たされる可能性は低い。
【００３７】
そこで、第１実施形態では、カメラ１３によって撮影された画像データが製品の実物の画像データであることが実物認証部１７によって認証された場合に限り、ｅラーニング制御部１８は、携帯機器を用いてｅラーニングを続行する。これにより、ｅラーニングの対象となる製品の実物の画像を取得できる距離までユーザを接近させることができる。よって、ｅラーニングの対象となる製品の実物をユーザの近くに置きながらｅラーニングを行うことをユーザに強制することにより学習効率が向上する。
【００３８】
タッチパネル１２に表示されるサンプル画像（ＤＡ１、ＤＡ２）は、製品の形状を描いた図又は絵であってもよい。これにより、タッチパネル１２に表示されたサンプル画像（ＤＡ１、ＤＡ２）がユーザによる撮影の対象となるおそれが無くなり、製品の実物の撮影をユーザに強制することができる。
【００３９】
録音指示部１９は、ｅラーニングが終了した後に、ｅラーニングを受けた感想或いはコメントをマイク１４を用いて録音することをユーザに対して指示する。ユーザがこの指示に従うことにより、録音された音声に基づいて、ｅラーニングを受講したユーザ本人を容易に認証することができる。
【００４０】
ユーザ画像取得指示部２０は、ｅラーニングを行っている途中或いはｅラーニングが修了した後に、カメラ１３を用いて、ユーザの顔の画像データを取得することをユーザに対して指示する。ユーザがこの指示に従うことにより、ｅラーニングの中断時或いはｅラーニングの修了時において、研修を受けている者がユーザ本人であるか否かを確認するための資料を残すことができる。
【００４１】
認定証作成部２１は、ｅラーニングが修了したことを認定する証書であって、データ記憶部１５に記憶されたユーザの顔の画像データＤＡ３が添付された証書を作成する。これにより、ユーザ本人を容易に認証することができる。
【００４２】
認定証作成部２１は、図６に示すように、実物認証部１７によって認証された製品の実物の画像データＤＡ４を、認定証に更に添付してもよい。これにより、ユーザが受講した研修対象（車種Ａの新型車）を容易に特定することができる。
【００４３】
（第２実施形態）
第１実施形態では、携帯機器が単独でｅラーニング装置を構成する例を説明したが、第２実施形態では、通信機能を更に備える携帯機器を携帯するユーザに対して、遠隔から学習を実行させ、学習履歴及び学習効果を管理するサーバ型のｅラーニング装置について説明する。
【００４４】
図９に示すように、通信機能を備える携帯機器５は、コンピュータネットワーク６を介して、サーバ７に接続可能である。携帯機器５は、タッチパネル１２、カメラ１３、マイク１４、ＣＰＵ３１、及び送受信部３２を備える。送受信部３２は、コンピュータネットワーク６を介してサーバ７と通信を行ってデータの送受信を行う。具体的には、サーバ７から携帯機器５へ、コンテンツデータ２２がストリーム配信される。コンテンツデータ２２には、図２〜図５に示したユーザに対する指示画面のデータが含まれる。一方、携帯機器５からサーバ７へ、カメラ１３により撮影された製品の実物及びユーザの顔の画像データが送信される。ＣＰＵ３１は、サーバ７から送信されるコマンド信号にしたがって、タッチパネル１２、カメラ１３、マイク１４及び送受信部３２の動作を制御する。
【００４５】
サーバ７は、図１に示したＣＰＵ１１及びデータ記憶部１５と同じ構成を備える。すなわち、サーバ７は、制御部３３及びデータ記憶部３５を備える。制御部３３は、実物画像取得指示部３６、実物認証部３７、ｅラーニング制御部３８、録音指示部３９、ユーザ画像取得指示部４０、及び認定証作成部４１として機能する。データ記憶部３５は、コンテンツデータ４２及びカメラ１３により撮影された画像データ（４３、４４）を記憶する。画像データ（４３、４４）は、携帯機器５から送信される製品の実物及びユーザの顔の画像データである。
【００４６】
第２実施形態に係わるエラーニング方法は、図７及び図８に示した実施手順と同じであり、説明を省略する。
【００４７】
このように、第２実施形態に係わるｅラーニング装置は、クライアントサーバモデルとしても実現可能である。汎用の携帯機器５（クライアント）をコンピュータネットワーク６を介してサーバ７に接続する。これにより、制御部３３を備えるサーバ７を、コンピュータネットワーク６を介して、タッチパネル１２、カメラ１３、マイク１４に接続することができる。この場合、ｅラーニング装置は、主に制御部３３（サーバ）により構成され、タッチパネル１２、カメラ１３、マイク１４はｅラーニング装置に含まれない。第２実施形態に係わるｅラーニング装置及びｅラーニング方法によれば、第１実施形態のｅラーニング装置及びｅラーニング方法と同様な作用効果が得られる。
【００４８】
上記のように、本発明の第１及び第２の実施形態を記載したが、この開示の一部をなす論述及び図面はこの発明を限定するものであると理解すべきではない。この開示から当業者には様々な代替実施の形態、実施例及び運用技術が明らかとなろう。
【００４９】
実施形態ではｅラーニングの対象となる製品が車両（新型車）である場合について説明した。この場合、学習者（ユーザ）としては、車両の販売員（セールスマン）を想定することができる。更には、車両の販売店に来店したエンドユーザ（車両の購入希望者）を想定することも可能である。実施形態に係わるｅラーニングの学習対象としては、車両のリクライニングシート或いはリアシートの使い勝手（倒し方）、シートの座り心地、ワイパースイッチの操作感、運転席からの視界の広さなど、実際に触ったり、操作したりしないと容易に伝えることができないことが挙げられる。これらの学習対象に対して、実施形態によるｅラーニングを実施することにより、実物による学習効果が十分に期待できる。また、ｅラーニングの対象となる製品として車両以外にも適用可能であることは言うまでもない。
【符号の説明】
【００５０】
５  携帯機器（ｅラーニング装置）
７  サーバ（ｅラーニング装置）
１２  タッチパネル（表示画面）
１３  カメラ（撮影手段）
１４  マイク（録音手段）
１５、３５  データ記憶部
１６、３６  実物画像取得指示部
１７、３７  実物認証部
１８、３８  ｅラーニング制御部
１９、３９  録音指示部
２０、４０  ユーザ画像取得指示部
２１、４１  認定証作成部
【図１】
2015064734.tif 000003
【図２】
2015064734.tif 000004
【図３】
2015064734.tif 000005
【図４】
2015064734.tif 000006
【図５】
2015064734.tif 000007
【図６】
2015064734.tif 000008
【図７】
2015064734.tif 000009
【図８】
2015064734.tif 000010
【図９】
2015064734.tif 000011